(57)【要約】【課題】周辺部品に対するクリアランス不足や干渉を回避することができるプロテクタおよびワイヤハーネスを提供する。【解決手段】底面部３１ａおよび底面部３１ａの両縁部に連なって突出した一対の側面部３１ｂ，３１ｃを有するトラフ状のプロテクタ本体３１と、プロテクタ本体３１の一方の側面部３１ｂにヒンジ部３２を介して一体に形成され、プロテクタ本体３１の一対の側面部３１ｂ，３１ｃ間の開口部を覆う蓋体３３と、を備え、プロテクタ本体３１の内部に複数の電線２１からなる電線群２０を収容するプロテクタ３０であって、底面部３１ａおよび蓋体３３は、プロテクタ本体３１の内部に電線群２０を収容して蓋体３３によりプロテクタ本体３１の開口部を覆ったときに、複数の電線２１の反発力によって平坦になるよう構成している。【選択図】図１
2015204736.tif 000002
【特許請求の範囲】
【請求項１】
底面部および前記底面部の両縁部に連なって突出した一対の側面部を有するトラフ状のプロテクタ本体と、
前記プロテクタ本体の一方の前記側面部にヒンジ部を介して一体に形成され、前記プロテクタ本体に折り重ねられることにより前記プロテクタ本体の一対の前記側面部間の開口部を覆う蓋体と、
前記蓋体が前記プロテクタ本体の前記開口部を覆った状態に保持するロック手段と、を備え、
前記プロテクタ本体の内部に複数の電線からなる電線群を収容するプロテクタであって、
前記底面部は、長手方向に対する垂直断面形状が内方へ湾曲した形状に成形された構成であることを特徴とするプロテクタ。
【請求項２】
前記蓋体は、長手方向に対する垂直断面形状が内方へ湾曲した形状に成形された構成であることを特徴とする請求項１に記載のプロテクタ。
【請求項３】
請求項１または２に記載のプロテクタのプロテクタ本体の内部に複数の電線からなる電線群を収容し蓋体を閉じてなることを特徴とするワイヤハーネス。
【発明の詳細な説明】
【技術分野】
【０００１】
本発明は、プロテクタおよびワイヤハーネスに関する。
【背景技術】
【０００２】
従来、自動車に配索される電線群を収容するプロテクタが知られている（例えば、特許文献１参照）。図５は特許文献１に記載されたプロテクタを示す。図５において、プロテクタ１００は、複数の電線からなる電線群を内部に収容するトラフ状のプロテクタ本体１０１と、プロテクタ本体１０１にヒンジ部１０２を介して一体に形成され、プロテクタ本体１０１に折り重ねられることによりプロテクタ本体１０１の開口部を覆う板状の蓋体１０３と、蓋体１０３がプロテクタ本体１０１の開口部を覆った状態に保持するロック手段としての係止部１０４ａおよびフック部１０４ｂとを、有して構成されている。このプロテクタ１００は、長手方向に対する垂直な断面形状が横長矩形となっている。
【先行技術文献】
【特許文献】
【０００３】
【特許文献１】特開平７−８０９６８号公報
【発明の概要】
【発明が解決しようとする課題】
【０００４】
しかしながら、上述したプロテクタ１００は、プロテクタ本体１０１の内部一杯に複数の電線を収容して、プロテクタ本体１０１の開口部を蓋体１０３で覆うと、電線に反発力によりプロテクタ本体１０１の底面部や蓋体１０３が外方に向けて凸状に膨らんでしまう。このため、プロテクタ１００は、幅方向中央部で底面から上面までの寸法が厚くなり、周辺部品に対するクリアランス不足や干渉が発生するという問題があった。
【０００５】
本発明は、上述のような課題を解決するためになされたもので、周辺部品に対するクリアランス不足や干渉を回避することができるプロテクタおよびワイヤハーネスを提供することを目的とする。
【課題を解決するための手段】
【０００６】
本発明に係るプロテクタは、上記目的を達成するため、底面部および前記底面部の両縁部に連なって突出した一対の側面部を有するトラフ状のプロテクタ本体と、前記プロテクタ本体の一方の前記側面部にヒンジ部を介して一体に形成され、前記プロテクタ本体に折り重ねられることにより前記プロテクタ本体の一対の前記側面部間の開口部を覆う蓋体と、前記蓋体が前記プロテクタ本体の前記開口部を覆った状態に保持するロック手段と、を備え、前記プロテクタ本体の内部に複数の電線からなる電線群を収容するプロテクタであって、前記底面部は、長手方向に対する垂直断面形状が内方へ湾曲した形状に成形された構成である。
【０００７】
この構成により、本発明に係るプロテクタは、プロテクタ本体の内部に複数の電線からなる電線群を収容し、蓋体によりプロテクタ本体の開口部を覆うことにより、プロテクタ本体の底面部と蓋体とが複数の電線を圧迫して押し込む状態であるとき、プロテクタ本体の底面部の長手方向に対する垂直断面形状が、内方へ湾曲した成形形状であることから、複数の電線が両側の側面部側にずれて配線密度が均等化の助けとなり、プロテクタ本体の底面部の長手方向に対する垂直断面形状が、内方へ湾曲した成形形状から、電線の反発力でよって膨らんで平坦になって電線群を均等化して収容できる。本発明に係るプロテクタは、プロテクタ本体の底面部の長手方向に対する垂直断面形状が、内方へ湾曲した成形形状であることから、その後、長時間経過しても電線の反発力に抵抗し、プロテクタ本体の底面部が平坦を保持する。よって、本発明に係るプロテクタは、幅方向中央部で底面から上面までの寸法が厚くならず、周辺部品に対するクリアランス不足や干渉を回避することができる。
【０００８】
上述した構成のプロテクタにおいて、前記蓋体は、長手方向に対する垂直断面形状が内方へ湾曲した形状に成形された構成であることが好ましい。
【０００９】
この構成により、本発明に係るプロテクタは、プロテクタ本体の内部に複数の電線からなる電線群を収容し、蓋体によりプロテクタ本体の開口部を覆うことにより、プロテクタ本体の底面部と蓋体とが複数の電線を圧迫して押し込む状態であるとき、蓋体の長手方向に対する垂直断面形状が、内方へ湾曲した成形形状であることから、プロテクタ本体の内部に電線群を収容して蓋体によりプロテクタ本体の開口部を覆うと、プロテクタ本体の底面部とともに蓋体が複数の電線から反発力を受けて平坦になって電線群を均等化して収容できる。よって、本発明に係るプロテクタは、幅方向中央部で底面から上面までの寸法が厚くならず、周辺部品に対するクリアランス不足や干渉を回避することができる。
【００１０】
本発明に係るワイヤハーネスは、上記目的を達成するため、上述したプロテクタのプロテクタ本体の内部に複数の電線からなる電線群を収容し蓋体を閉じてなる構成である。
【００１１】
この構成により、本発明に係るワイヤハーネスは、プロテクタ本体の内部に電線群を収容して蓋体によりプロテクタ本体の開口部を覆うと、プロテクタ本体の底面部および蓋体とが複数の電線を圧迫して押し込む状態であるとき、プロテクタ本体の底面部および蓋体のそれぞれの長手方向に対する垂直断面形状が、内方へ湾曲した成形形状であることから、プロテクタ本体の底面部および蓋体が平坦になって電線群を均等化して収容できる。よって、本発明に係るワイヤハーネスは、プロテクタの幅方向中央部で底面から上面までの寸法が厚くならず、周辺部品に対するクリアランス不足や干渉を回避することができる。
【発明の効果】
【００１２】
本発明によれば、周辺部品に対するクリアランス不足や干渉を回避することができるプロテクタおよびワイヤハーネスを提供することができる。
【図面の簡単な説明】
【００１３】
【図１】本発明の実施の形態に係るワイヤハーネスの完成状態を示す概略構成図である。
【図２】本発明の実施の形態に係るワイヤハーネスの製作途中を示す概略構成図である。
【図３】本発明の実施の形態に係るワイヤハーネスのプロテクタ単体を示す概略構成図である。
【図４】本発明の実施の形態に係るワイヤハーネスのプロテクタの端部形状を示す概略構成図である。
【図５】従来のプロテクタを示す概略構成図である。
【発明を実施するための形態】
【００１４】
以下、本発明の実施の形態に係るプロテクタおよびワイヤハーネスについて、図面を参照して説明する。
【００１５】
図１に示すように、本実施の形態に係るワイヤハーネス１０は、電線群２０と、電線群２０を収容するプロテクタ３０と、を含んで構成されており、自動車に配索されるものである。電線群２０は、自動車に搭載された電子機器間を電気的に接続する複数の電線２１を有している。
【００１６】
プロテクタ３０は、図２に示すように、底面部３１ａおよび底面部３１ａの両縁部に連なって突出した一対の側面部３１ｂ，３１ｃを有するトラフ状のプロテクタ本体３１と、一縁部がプロテクタ本体３１の一方の側面部３１ｂにヒンジ部３２を介して一体に形成された蓋体３３と、ロック手段を構成する係止部３４ａおよびフック部３４ｂと、を備え、プロテクタ本体３１の内部に電線群２０を収容するようになっている。プロテクタ３０は、樹脂材料により形成され、図３に示すように、長手方向に対する垂直な断面形状が横長矩形となっている。
【００１７】
蓋体３３は、図３に示すように、他縁部がプロテクタ本体３１の他方の側面部３１ｃに当接するようヒンジ部３２を中心に折り重ねられることにより、プロテクタ本体３１の一対の側面部３１ｂ，３１ｃ間の開口部を覆うように構成されている。また、蓋体３３は、図４に示すように、端部に電線群２０の延長方向に突出する舌状の係止片３３ａを有している。
【００１８】
係止部３４ａは、図３に示すように、プロテクタ本体３１の他方の側面部３１ｃに一体に形成された上下方向に延びる中空体である。フック部３４ｂは、図３に示すように、蓋体３３の他縁部に形成された鉤状体であり、係止部３４ａに係合して蓋体３３がプロテクタ本体３１の開口部を覆った状態に保持するようになっている。上記構成のプロテクタ３０は、長手方向に対する垂直な断面形状が横長矩形となっている。
【００１９】
プロテクタ本体３１の底面部３１ａは、図３に示すように、プロテクタ本体３１の内部に電線群２０を収容する前は、プロテクタ長手方向に対する垂直な断面においてプロテクタ本体３１の内方に向けて凸状に湾曲しており、図１に示すように、プロテクタ本体３１の内部に電線群２０を収容して蓋体３３によりプロテクタ本体３１の開口部を覆ったときに、複数の電線２１から反発力を受けて平坦になるよう構成されている。
【００２０】
蓋体３３は、図３に示すように、プロテクタ本体３１の内部に電線群２０を収容する前は、プロテクタ長手方向に対する垂直な断面においてプロテクタ本体３１の内方に向けて凸状に湾曲しており、図１に示すように、プロテクタ本体３１の内部に電線群２０を収容して蓋体３３によりプロテクタ本体３１の開口部を覆ったときに、複数の電線２１から反発力を受けて平坦になるよう構成されている。また、図４に示すように、蓋体３３の係止片３３ａとプロテクタ３０の外部に露出した電線群２０とは、係止片３３ａおよび電線群２０に巻き付けられた粘着テープＴにより相互に固定されている。
【００２１】
本実施の形態に係るワイヤハーネス１０は、プロテクタ本体３１の内部に複数の電線からなる電線群２０を収容し、蓋体３３によりプロテクタ本体３１の開口部を覆うことにより、プロテクタ本体３１の底面部３１ａと蓋体３３とが複数の電線２１を圧迫して押し込む状態であるとき、プロテクタ本体３１の底面部３１ａの長手方向に対する垂直断面形状が、内方へ湾曲した成形形状であることから、複数の電線２１が両側の側面部３１ｂ，３１ｃ側にずれて配線密度が均等化の助けとなり、プロテクタ本体３１の底面部３１ａの長手方向に対する垂直断面形状が、内方へ湾曲した成形形状から、電線２１の反発力でよって膨らんで平坦になって電線群２０を均等化して収容できる。本発明に係るプロテクタ３０は、プロテクタ本体３１の底面部３１ａの長手方向に対する垂直断面形状が、内方へ湾曲した成形形状であることから、その後、長時間経過しても電線の反発力に抵抗し、プロテクタ本体３１の底面部３１ａが平坦を保持する。よって、本発明に係るプロテクタは、幅方向中央部で底面から上面までの寸法が厚くならず、周辺部品に対するクリアランス不足や干渉を回避することができる。
【００２２】
以上説明したように、本発明に係るプロテクタおよびワイヤハーネスは、周辺部品に対するクリアランス不足や干渉を回避することができるという効果を有し、プロテクタおよびワイヤハーネス全般に有用である。
【符号の説明】
【００２３】
１０  ワイヤハーネス
２０  電線群
２１  電線
３０  プロテクタ
３１  プロテクタ本体
３１ａ  底面部
３１ｂ，３１ｃ  側面部
３２  ヒンジ部
３３  蓋体
３４ａ  係止部（ロック手段）
３４ｂ  フック部（ロック手段） 
【図１】
2015204736.tif 000003
【図２】
2015204736.tif 000004
【図３】
2015204736.tif 000005
【図４】
2015204736.tif 000006
【図５】
2015204736.tif 000007